(57)【特許請求の範囲】
【請求項１】
洗い場を形成する洗い場防水パンと、浴槽設置面を形成する浴槽防水パンを別体で分離形成し、前記浴槽防水パンの底側の、浴槽を設置する浴槽設置面の外周３面に立ち上げ形成される壁パネル載置面を、前記洗い場防水パンの壁パネル載置面より高く設定するとともに、前記浴槽防水パンの壁パネル載置面の内側に、浴槽を支持するバックハンガーを一体で成形したことを特徴とする分割防水パン。
【発明の詳細な説明】
【０００１】
【産業上の利用分野】
この発明は、浴室ユニットの底部を形成する分割された防水パンに関するものである。
【０００２】
【従来の技術及びその課題】
従来、図８に断面図で示すように、洗い場を形成する洗い場防水パン６１と、浴槽５３を設置する浴槽防水パン６２が分割されて形成されたものが存在し、従来では、洗い場防水パン６１の外周の壁パネルＰを建て付ける壁パネル載置面６１ａと、浴槽防水パン６２の外周の壁パネルＰを建て付ける壁パネル載置面６２ａは同一高さに設定されており、浴槽防水パン６２上に浴槽５３を設置すると、浴槽防水パン６２の壁パネル載置面６２ａ上に立設される壁パネルＰの下端部が浴槽５３で隠れてしまい、壁パネルＰはタイル等を貼着して形成された高価なものであるが、この高価な壁パネルＰの下端部分が隠れて無駄になってしまうという問題点があった。
また、従来では、壁パネルＰを建て付けた後に浴槽５３を設置しなくてはならないため、施工に苦労するという問題点があった。
【０００３】
【課題を解決するための手段】
本発明は上記従来の問題点に鑑み案出したものであって、コストを低減させて、しかも施工が容易となる分割防水パンを提供せんことを目的とし、その要旨は、洗い場を形成する洗い場防水パンと、浴槽設置面を形成する浴槽防水パンを別体で分離形成し、前記浴槽防水パンの底側の、浴槽を設置する浴槽設置面の外周３面に立ち上げ形成される壁パネル載置面を、前記洗い場防水パンの壁パネル載置面より高く設定するとともに、前記浴槽防水パンの壁パネル載置面の内側に、浴槽を支持するバックハンガーを一体で成形したことである。
【０００４】
【実施例】
以下、本発明の実施例を図面に基づいて説明する。
図１は、分割防水パンの要部分解斜視図であり、分割防水パンは、浴槽を設置する浴槽設置面１１を形成する浴槽防水パン１と、洗い場３１を形成する洗い場防水パン３が別体で分割形成されており、前記浴槽防水パン１の底側の浴槽を設置する浴槽設置面１１の外周側３面には一体状に立ち上げて外周立上壁面１２，１２，１２が形成されており、この外周立上壁面１２の上端には外方向へ水平に折曲されて、壁パネルＰを建て付けるための壁パネル載置面１３，１３，１３が形成され、さらに各壁パネル載置面１３，１３，１３の外周側には立ち上げ状に水切片１４，１４，１４が一体形成されたものとなっている。
【０００５】
さらに前記各外周立上壁面１２，１２，１２の内側には一体状にバックハンガー１５，１５，１５が形成されており、このバックハンガー１５は、図２の要部拡大図で示すように、上端側が上方へ突出した掛止片１５ａを形成しており、この掛止片１５ａと前記外周立上壁面１２間に、図２のように、浴槽６の上面を形成するフランジ片６ａの外周で垂下する垂下片６ｂを掛止させて、バックハンガー１５で浴槽６を支持することができるように構成されており、図２のように、浴槽６をバックハンガー１５に掛止して支持させた状態では、浴槽６の上面を構成するフランジ片６ａと前記壁パネル載置面１３がほぼ面一状をなして同一高さとなるように設定されており、この壁パネル載置面１３上に図示しない壁パネルＰが建て付けられると、壁パネルＰの下端は浴槽６のフランジ片６ａとほぼ同一の高さとなって、従来のように壁パネルＰの下端が浴槽６で隠されることがなく、壁パネルＰを全部露出させることができるものとなる。
【０００６】
即ち、本例では、浴槽防水パン１の前記外周立上壁面１２が、洗い場防水パン３側の外周立上壁面３２よりも高い寸法に設定されて、浴槽防水パン１の壁パネル載置面１３は洗い場防水パン３の壁パネル載置面３３よりもかなり高い位置に設定されているものであり、そのため、浴槽防水パン１側の壁パネル載置面１３上に建て付ける壁パネルＰは上下寸法を短く設定しておくことができ、高価な壁パネルＰを短く形成して使用することができるため、コストを低減させることができるものとなる。
【０００７】
また、本例の浴槽防水パン１にはバックハンガー１５が一体形成されているため、このバックハンガー１５に浴槽６を支持させて、浴槽６を浴槽防水パン１に先付けして、従来のように後に浴槽を設置することなく、壁パネルＰを建て付ける前に先に浴槽６を浴槽防水パン１に設置して施工を楽に行うことができるものとなる。
なお、浴槽防水パン１は外周立上壁面１２の上下高さ寸法が高く設定されているため、この外周立上壁面１２を利用して、配管を行うための配管用孔２３をこの外周立上壁面１２に形成させておくことができ、従来のように配管用の孔を壁パネルＰ側に開口させる必要がなく、予め浴槽防水パン１に配管用孔２３を形成させておき、配管施工を良好に行うことができるものとなる。
なお、浴槽設置面１１には、トラップ用のトラップ孔２４とか、点検用の点検口２５を予め開口させておくことができる。なお、図中２６は外周に一体形成される補強用リブである。
【０００８】
また、浴槽防水パン１の洗い場防水パン３との連結側は開口されており、図３の要部拡大断面斜視図で示すように、浴槽設置面１１の連結側先端に立ち上げ状に立上片１６が一体形成され、さらに立上片１６の上端から水平片１７が一体形成され、さらに水平片１７の先端から直角にレール立片１８が立ち上げ形成されており、さらにレール立片１８の上端に水平状にレール上片１９が形成され、さらにレール上片１９の先端から直角に垂下してレール垂下片２０が一体形成されたものとなっており、また、レール垂下片２０の両端側には、洗い場防水パン３側へ突出状に、前記外周立上壁面１２から連続して重ね代部２１が一体形成されており、この重ね代部２１の外側には、直角に外側へ突出して直角片２２が一体形成されたものとなっており、この直角片２２の下端にはネジ孔２２ａが形成されたものとなっている。
【０００９】
一方、前記洗い場３１を形成する洗い場防水パン３は、外周立上壁面３２上縁に壁パネル載置面３３が形成され、さらにその外側には水切片３４が一体形成されたものとなっており、浴槽防水パン１との連結側には、図３の拡大断面斜視図で示すように、外周立上壁面３２上縁に水平片３５が形成され、この水平片３５には凹み状にシリコン溝３６が形成されており、水平片３５の先端には立ち上げ状に連結片３７が一体形成されたものとなっており、この連結片３７は水切片３４と連続して形成されている。また、シリコン溝３６の両側の水切片３４の内側には突出して連結リブ３８が一体形成されており、この連結リブ３８にはネジ孔３８ａが形成されている。
【００１０】
この洗い場防水パン３に対し浴槽防水パン１を連結させる際には、図４の反対側から見た要部斜視図で示すように、洗い場防水パン３の連結リブ３８に対し、浴槽防水パン１の前記直角片２２を洗い場防水パン３の内側で当接させ、即ち、洗い場防水パン３の壁パネル載置面３３上に直角片２２を載せて、直角片２２と連結リブ３８のそれぞれのネジ孔２２ａ，３８ａを整合させて、ネジ５を各ネジ孔２２ａ，３８ａに洗い場防水パン３側からネジ込んで、図６の平面図で示すように、ネジ５により直角片２２と連結リブ３８を連結させる。その際、浴槽防水パン１の重ね代部２１が連結リブ３８の位置まで重ね合わされることとなり、また、洗い場防水パン３のシリコン溝３６内に前記浴槽防水パン１側のレール垂下片２０が図５の断面拡大図で示すように配置される。この場合、浴槽防水パン１のレール立片１８の内側に洗い場防水パン３の連結片３７が嵌まり込んで、連結片３７とレール立片１８が当接状となり、予め浴槽防水パン１のレール立片１８とレール垂下片２０間にシール材４を嵌め込んでおけば、図５のようにシール材４は密閉された状態となり、この状態でレール立片１８のネジ孔１８ａに対し浴槽防水パン１側からネジ７を締め付けて、ネジ７によりレール立片１８と連結片３７を連結固定させることができるものであり、ネジ７は図６の平面図で示すように、所定間隔で複数用いられるものである。
【００１１】
このように連結リブ３８と直角片２２をネジ５で連結させ、かつネジ７で連結片３７とレール立片１８を連結させて、浴槽防水パン１と洗い場防水パン３を連結させることができ、その後に図５に示すように、レール垂下片２０の外側のシリコン溝３６内にシリコンを充填させてシリコンコーキングＣを形成させ、連結部分のシールを確実に行うことができるものである。
【００１２】
なお、本例では、図７の平面図で示すように、前記重ね代部２１が洗い場防水パン３に重ね合わされる寸法、即ち重ね代Ｓが予め設定されており、図７に示すように、ドア枠８の幅寸法が８００mmである場合、前記壁パネル載置面１３及び壁パネル載置面３３上に建て付けられる壁パネルＰの幅寸法は８００mmにモジュール化され、浴槽防水パン１と洗い場防水パン３が連結された状態では、外周各辺が１６００mmとなるように前記重ね代Ｓの寸法が設定されており、幅寸法が８００mmにモジュール化された壁パネルを建て付けることにより、ドア枠８の側方には１枚の壁パネルＰを建て付け、その他の辺では２枚ずつの壁パネルＰを建て付けて、良好に浴室ユニットが形成されるように構成されている。
【００１３】
【発明の効果】
本発明の分割防水パンは、洗い場を形成する洗い場防水パンと、浴槽設置面を形成する浴槽防水パンを別体で分離形成し、浴槽防水パンの底側の、浴槽を設置する浴槽設置面の外周３面に立ち上げ形成される壁パネル載置面を、洗い場防水パンの壁パネル載置面より高く設定するとともに、浴槽防水パンの壁パネル載置面の内側に、浴槽を支持するバックハンガーを一体で成形したことにより、浴槽を浴槽防水パンに設置した際に、壁パネル載置面上に建て付けられる壁パネルに従来のように隠れる部分が生ずることがなく、その分、高価な壁パネルが無駄にならず、壁パネルの寸法を短く設定してコストを低減させることができるものとなる。
また、バックハンガーに浴槽を支持させて、浴槽を壁パネルの建て付け前に強固に設置することができ、施工が容易となる効果を有する。
【図面の簡単な説明】
【図１】  浴槽防水パンと洗い場防水パンの分解斜視構成図である。
【図２】  浴槽防水パンに一体成形されたバックハンガーに浴槽の上部を掛止支持させた状態の要部拡大断面図である。
【図３】  浴槽防水パンと洗い場防水パンのそれぞれの連結部分の断面分解斜視構成図である。
【図４】  図３の要部を逆方向から見た状態の分解斜視図である。
【図５】  洗い場防水パンに対し浴槽防水パンを連結させた連結部分の拡大断面構成図である。
【図６】  連結状態の平面要部拡大図である。
【図７】  連結状態の平面構成図である。
【図８】  従来の防水パンの断面構成図である。
【符号の説明】
１  浴槽防水パン
３  洗い場防水パン
４  シール材
５，７  ネジ
６  浴槽
６ａ  フランジ片
６ｂ  垂下片
１１  浴槽設置面
１２  外周立上壁面
１３  壁パネル載置面
１４  水切片
１５  バックハンガー
１５ａ  掛止片
１８  レール立片
１９  レール上片
２０  レール垂下片
２１  重ね代部
２２  直角片
２２ａ  ネジ孔
２３  配管用孔
２４  トラップ孔
２５  点検口
３１  洗い場
３２  外周立上壁面
３３  壁パネル載置面
３４  水切片
３５  水平片
３６  シリコン溝
３７  連結片
３８  連結リブ
３８ａ  ネジ孔
Ｃ  シリコンコーキング
Ｐ  壁パネル
【図１】
0003648674.tif 000002
【図２】
0003648674.tif 000003
【図３】
0003648674.tif 000004
【図４】
0003648674.tif 000005
【図５】
0003648674.tif 000006
【図６】
0003648674.tif 000007
【図７】
0003648674.tif 000008
【図８】
0003648674.tif 000009